(57)【要約】      （修正有）【課題】水平方向の荷重に基づく曲げモーメントが作用しても、ガタツキが生じにくく、耐久性に優れた支柱支持構造を提供する。【解決手段】畳１３を敷設した床下地１２と、床下地１２に立設され、かつ、上端部を畳１３から突出させた複数本の支持パイプ２１と、支持パイプ２１の上端に載置した支持板２３と、支持板２３の支持用長孔２４から支持パイプ２１内に挿入され、前記床下地１２に固定される支持ネジ２２と、支持ネジ２２の頭部の少なくとも一部を被覆するように支持板２３に載置され、かつ、支持板２３に固定される取付板３１と、取付板３１の上面に固定される支柱３０と、からなる支柱支持構造である。【選択図】図２
2016172975.tif 000002
【特許請求の範囲】
【請求項１】
床材を敷設した床下地と、
前記床下地に立設され、かつ、上端部を前記床材から突出させた複数本の支持パイプと、
前記支持パイプの上端に載置した支持板と、
前記支持板の支持孔から前記支持パイプ内に挿入され、前記床下地に固定される止め具と、
前記止め具の頭部の少なくとも一部を被覆するように前記支持板に載置され、かつ、前記支持板に固定される取付板と、
前記取付板の上面に固定される支柱と、
からなることを特徴とする支柱支持構造。
【請求項２】
前記支持板に設けた支持孔の上面開口縁部に、テーパ面を設ける一方、前記止め具がラッパ頭を有することを特徴とする請求項１に記載の支柱支持構造。
【請求項３】
取付板に、前記支持板の支持孔の内側縁部を目視できる取付孔を設けたことを特徴とする請求項１または２に記載の支柱支持構造。
【請求項４】
前記床材が畳であり、前記畳を構成する畳おもての縦糸および横糸を切断することなく、前記支持パイプを前記畳に挿通したことを特徴とする請求項１ないし３のいずれか１項に記載の支柱支持構造。
【請求項５】
請求項１ないし４のいずれか１項に記載の支柱支持構造を有する複数本の支柱に、手摺りを架け渡したことを特徴とする手摺り支持構造。
【発明の詳細な説明】
【技術分野】
【０００１】
本願発明は支柱支持構造、特に、畳，絨毯の上面に立設される支柱支持構造に関する。
【背景技術】
【０００２】
従来、支柱支持構造としては、例えば、畳の表面に凹みを生じさせずに手摺りを支持する支柱支持構造がある（特許文献１参照）。
すなわち、「畳上面に固定される平板状の固定手段と、該固定手段上に立設される支柱と、該支柱の上端から略水平方向に延設される手摺り部材と、を有した畳用手摺りにおいて、前記固定手段は、畳上面から下面まで貫通して当該畳下に敷設された粗床まで達する支持具にて畳上面に固定されるべく、平面視略円形状に形成され、その中心から等間隔で放射状に延びる３本の切欠を有し、該切欠に前記支持具を挿通させて、その先端を粗床まで達せさせたものであり、且つ、当該支持具は、先端が畳に挿通可能に尖って形成され、畳の厚さより若干長いパイプ状部材と、該パイプ状部材内を挿通可能とされ、上端に前記切欠の幅よりも大径の頭部を有するとともに先端側にネジ部を有する木ネジと、を有し、前記パイプ状部材を畳におけるイグサの目に沿って厚さ方向に挿通した後、前記木ネジを当該パイプ状部材内に挿通させ、その先端のネジ部を粗床に螺着させることを特徴とする畳用手摺り」である。
【先行技術文献】
【特許文献】
【０００３】
【特許文献１】特許第３９０８１０１号公報
【発明の概要】
【発明が解決しようとする課題】
【０００４】
しかしながら、前記畳用手摺りに係る支柱支持構造では、その図２，図４および図５に示すように、固定手段１はパイプ状部材５の上端開口縁部に載置され、前記固定手段１の上面から木ネジ６の頭部６ａ全体が露出している。このため、手摺り３に水平方向の荷重が負荷されると、支柱２を介して固定手段１に曲げモーメントが作用し、固定手段１の一方側に引張力が作用する一方、その反対側の他方側に押圧力が作用する。これにより、前記固定手段１の一方側を支持する木ネジ６に引張力が作用する一方、前記固定手段１の他方側を支持するパイプ状部材（支持具）５に押圧力が作用し、前記固定手段１の他方側を支持する木ネジに押圧力は作用しない。この結果、前記パイプ状部材５が粗床Ａに食い込むとともに、前記パイプ状部材５自体が座屈して塑性変形しやすい。この結果、前記支柱２全体にガタツキ，グラツキが発生しやすく、耐久性に乏しいという問題点がある。
本発明は、前記問題点に鑑み、水平方向の荷重による曲げモーメントが作用しても、ガタツキ，グラツキが発生せず、耐久性に優れた支柱支持構造を提供することを課題とする。
【課題を解決するための手段】
【０００５】
本発明に係る支柱支持構造は、前記課題を解決すべく、床材を敷設した床下地と、前記床下地に立設され、かつ、上端部を前記床材から突出させた複数本の支持パイプと、前記支持パイプの上端に載置した支持板と、前記支持板の支持孔から前記支持パイプ内に挿入され、前記床下地に固定される止め具と、前記止め具の頭部の少なくとも一部を被覆するように前記支持板に載置され、かつ、前記支持板に固定される取付板と、前記取付板の上面に固定される支柱と、からなる構成としてある。
【発明の効果】
【０００６】
本発明によれば、支持板に取り付けた止め具の頭部の少なくとも一部を取付板で被覆するように位置決めされる。このため、支柱に曲げモーメントが作用して取付板の片側に押圧力が作用しても、押圧力が支持パイプおよび支持強度の大きい止め具に分散される。このため、支持パイプが床下地に食い込むことがなく、支持パイプに塑性変形が生じないとともに、支柱にガタツキやグラツキが生じることがなく、耐久性に優れた支柱支持構造が得られる。
【０００７】
本発明の実施形態としては、前記支持板に設けた支持孔の上面開口縁部に、テーパ面を設ける一方、前記止め具がラッパ頭を有する構成としてもよい。
本実施形態によれば、前記取付板と前記止め具の頭部とが面一になり、取付板の位置決め作業が容易になるので、作業性が向上する。
【０００８】
本発明の別の実施形態としては、取付板に、前記支持板の支持孔の内側縁部を目視できる取付孔を設けておいてもよい。
本実施形態によれば、支持板に取付板を位置決めする場合の組立作業が容易、かつ、正確に行えるので、より一層作業性が向上する。
【０００９】
本発明の異なる実施形態としては、前記床材が畳であり、前記畳を構成する畳おもての縦糸および横糸を切断することなく、前記支持パイプを前記畳に挿通しておいてもよい。
本実施形態によれば、畳の表面に支持板が圧接しないので、畳の表面に凹みが生じない。また、支柱を取り外した後に、広げた畳目が見えなくなるように縦糸および横糸をずらせば、畳の表面に設けた貫通孔が目立ちにくくなるので、美麗に畳床を使用できる。
【００１０】
本発明に係る手摺り支持構造としては、前述の支柱支持構造を有する複数本の支柱に、手摺りを架け渡した構成としてある。
【００１１】
本発明によれば、ガタツキやグラツキが発生しない耐久性に優れた手摺り支持構造が得られるという効果がある。
【図面の簡単な説明】
【００１２】
【図１】図Ａ，図Ｂは本願発明に係る支柱支持構造の実施形態を示す左側面図、正面図であり、図Ｃは図ＢのＣ−Ｃ線断面図である。
【図２】図２は図１Ｃの部分拡大断面図である。
【図３】図Ａは図２で図示した支持板の平面図であり、図Ｂは図ＡのＢ−Ｂ線断面図である。
【図４】図Ａ，Ｂは図２Ｂで図示した支持パイプの左側面図，正面図であり、図Ｃ，Ｄは前記支持パイプを取り付けるための治具パイプの左側面図、正面図である。
【図５】支柱を取り付けた取付板を、支持板に重ね合わせた状態を示す横断面図である。
【図６】図Ａ，Ｂ，Ｃは図１で示した手摺りの取付状態を部分拡大した左側面図、正面図、断面図である。
【図７】図Ａ，Ｂは本発明の実施例を示す横断面図および縦断面図である。
【図８】図Ａ，Ｂは本発明の比較例を示す横断面図および縦断面図である。
【図９】図Ａ，Ｂは試験装置を示す平面図，正面図である。
【発明を実施するための形態】
【００１３】
本発明に係る支柱支持構造の実施形態を図１ないし図６の添付図面に従って説明する。
なお、以下の説明では、図面に表された構成を説明するうえで、「上」、「下」、「左」、「右」等の方向を示す用語、及びそれらを含む別の用語を使用するが、それらの用語を使用する目的は図面を通じて実施形態の理解を容易にするためである。したがって、それらの用語は本発明の実施形態が実際に使用されるときの方向を示すものとは限らないし、それらの用語によって特許請求の範囲に記載された発明の技術的範囲が限定的に解釈されるべきでない。
【００１４】
本発明の実施形態としては、図１に示すように、畳床１０に支柱３０を介して手摺り５０を支持する手摺り支持構造に適用した場合である。前記畳床１０は、図２に示すように、粗床１１に２枚の合板を積層して形成した床下地１２に、畳１３を敷設して構成されている。畳１３としては、例えば、６ｍｍ〜６０ｍｍ程度の厚みのインシュレーションボードや発泡樹脂等からなる軽量基材の表面に、イグサ（縦糸）と横糸とを畳織した畳おもてを使用してもよい。また、前記縦糸または前記横糸としては、イグサに替え、紙をコヨリ状にした紙製撚糸、麻や椰子殻繊維等からなる糸状物、樹脂製紐状筒体や樹脂製糸状物等を用いてもよい。ここで、説明の便宜上、縦糸，横糸を定義しているが、それらの用語を使用する目的は図面を通じて実施形態の理解を容易にするためであり、特許請求の範囲に記載された発明の技術的範囲が限定的に解釈されるべきでない。
【００１５】
前記手摺りの支持構造は、支持パイプ２１および支持ネジ２２を介して床下地１２に支持された支持板２３に、取付板３１および取付ネジ３２を介して支柱３０が立設されている。前記支柱３０の基部は化粧カバー３６（図１）で被覆されているが、説明の便宜上、図２において前記化粧カバー３６は図示されていない。
【００１６】
前記支持パイプ２１は、図４に示すように、下端部を両側から斜め方向に切断してテーパ面を形成するとともに、その先端部を切断して先端面２１ａを形成してある。そして、前記支持パイプ２１は同一円上に均等のピッチで床下地１２に立設される。
【００１７】
なお、前記支持パイプ２１を取り付けるため、図４Ｃ，４Ｄに示す治具パイプ５１で貫通孔１３ａ（図２）が畳１３内に形成される。前記治具パイプ５１は、先端部を切断せずに尖部５１ａを有する点を除き、他は前記支持パイプ２１と類似の形状を有している。そして、前記畳１３の畳目の間にマイナスドライバーを差し込み、縦糸および横糸を傷付けないように畳目を広げる。さらに、広げた前記畳目に前記治具パイプ５１の尖部５１ａを差し込み、床下地１２に達するまでハンマー等で打ち込み、これを引き抜くことにより、畳１３の縦糸および横糸を切断することなく、畳１３内に貫通孔１３ａを形成する。ついで、前記貫通孔１３ａに支持パイプ２１を差し込むことにより、床下地１２上に支持パイプ２１を同じ高さで立設できる。
【００１８】
前記支持板２３は、複数本の前記支持パイプ２１に載置可能な平面形状を有し、前記支持パイプ２１の上端開口縁部に載置可能な巾寸法を有する支持用長孔２４を均等のピッチで放射状に設けてある。前記支持用長孔２４は、前記支持パイプ２１の取付位置を現場状況に応じて調整できる巾広形状であり、図３Ｂに示すように、その上面開口縁部にテーパ面２４ａを形成してある。また、前記支持板２３は、前記支持用長孔２４，２４の間にネジ孔２６を同一円上に均等のピッチで設けてある。
【００１９】
前記支柱３０はパイプ形状であり、その下端部を後述する取付板３１の上面中央に溶接等で固定されている。
【００２０】
前記取付板３１は、図５に示すように、前記支持板２３に設けた前記支持用長孔２４の外側縁部を目視可能な外周形状を有するとともに、前記支持用長孔２４の内側縁部を目視可能な長孔３３を同一円上に均等のピッチで設けてある。また、前記取付板３１は、前記支持板２３のネジ孔２６に対応する位置に貫通孔３４を設けてあるとともに、その中心に水抜き孔３５を設けてある。
したがって、支持板２３のネジ孔２６と取付板３１の貫通孔３４との位置を合わせることにより、前記支持板２３に取付板３１を位置決めできる。
【００２１】
前記手摺り取付具４０は、図６に示すように、取付台４１と把持部４５とで構成されている。前記取付台４１は、前記支柱３０の上方内周面に取り付けた固定板３７にネジ４２で固定されているとともに、前記把持部４５は前記取付台４１にネジ４３で固定されている。そして、前記把持部４５は六角ボルト４６を介して手摺り５０を着脱可能に保持している。
【００２２】
次に、前述の支柱支持構造の組立方法について説明する。
まず、畳１３の表面に支持板２３を所定の位置に載置し、支持用長孔２４の内周に沿って鉛筆等で前記畳１３の表面に環状の目印を描く。そして、前記目印の範囲内に位置する畳１３の畳目の間に、マイナスドライバーを差し込み、縦糸および横糸を傷付けないように畳目を広げる。そして、広げた前記畳目に治具パイプ５１の尖部５１ａを差し込み、ハンマーで床下地１２に達するまで打ち込んだ後、前記治具パイプ５１を引き抜くことにより、畳１３内に床下地１２に達する貫通孔１３ａを同一円上に均等のピッチで形成する。
ついで、前記貫通孔１３ａに支持パイプ２１を挿入し、床下地１２に複数本の前記支持パイプ２１を立設する。そして、前記支持パイプ２１の上端開口縁部に支持板２３の支持用長孔２４を位置決めし、前記支持パイプ２１の上端開口縁部に支持板２３を載置する。さらに、前記支持用長孔２４から前記支持パイプ２１に支持ネジ２２、例えば、ラッパ頭のコーススレッドを挿入し、粗床１１に達するまで床下地１２に螺合する。なお、止め具は前記支持ネジ２２に限らず、例えば、長釘を使用してもよい。
【００２３】
一方、取付板３１の上面中央に支柱３０の下端部を溶接で固着一体化する。そして、前記取付板３１を前記支持板２３に載置して位置決めした後、前記取付板３１の貫通孔３４に取付ネジ３２を挿入し、支持板２３のネジ孔２６に螺合して取付板３１を固定し、支柱３０を立設する。同様にして、畳床１０に複数本の支柱３０を立設する。
ついで、前記支柱３０の上端部に取付台４１をネジ４２で固定した後、前記取付台４１に前記把持部４５をネジ４３介して取り付ける。そして、前記把持部４５に取り付けた六角ボルト４６を調整し、前記把持部４５に手摺り５０を固定することにより、組立作業が完了する。
【００２４】
本実施形態では、支持板２３に支持用長孔２４を設けてあるので、前記支持板２３の位置決め作業の自由度が大きく、施工しやすい。
また、前記支持用長孔２４は、その上面開口縁部にテーパ面２４ａを形成してある。このため、例えば、支持ネジ２２としてラッパ頭のコーススレッドを使用することにより、前記支持板２３と支持ネジ２２とが面一になり、取付作業がより一層容易になるという利点がある。
そして、前記支持用長孔２４は巾広形状であるので、畳目を広げて貫通孔３ａを設けようとする位置を、縦糸と横糸とに重ならないように選択できる。このため、治具パイプ５１を畳１３に打ち込んでも、縦糸および横糸を切断することなく、支持パイプ２１を挿通できる貫通孔１３ａを形成できるという利点がある。
（実施例）
【００２５】
図７に示すように、厚さ１２ｍｍの２枚の合板を積層して形成した床下地１２に、厚さ５５ｍｍの畳１３を敷設して畳床１０を形成した。そして、前記畳１３に外径７ｍｍ、内径６ｍｍの治具パイプを挿入し、６本の貫通孔１３ａを同一円上に均等のピッチで形成した後、外径７ｍｍ、内径６ｍｍの６本の支持パイプ２１を立設した。さらに、前記支持パイプ２１に最大外径１３２ｍｍの支持板２３を載置して位置決めし、ついで、前記支持パイプ２１内に長さ１２０ｍｍ、軸径４．８ｍｍのラッパ頭の支持ネジ（コーススレッド）２２を挿入し、床下地１２に螺合して前記支持板２３を固定した。このとき、前記支持板２３の上面と前記支持ネジ２２のネジ頭とは面一になる。
一方、外径４５ｍｍのスチール製支柱を溶接一体化した最大外径１１８ｍｍの取付板３１を前記支持板２３に位置決めした後、取付ネジ３２で前記支持板２３に前記取付板３１を固定する。このとき、前記支持板２３に取り付けた支持ネジ２２の全てのネジ頭を取付板３１で完全に被覆している。さらに、前記支柱３０に取り付けた前記手摺り取付具４０を介して直径３５ｍｍの丸棒からなる木製手摺り５０を架け渡し、これを実施例とした。
（比較例）
【００２６】
比較例は、図８に示すように、前記実施例と基本的に同一であり、異なる点は支持板２３を最大外径１８０ｍｍとした点、および、前記支持ネジ２２のネジ頭を全て露出させた点において実施例と異なる。他は前述の実施例と同一であるので、同一部分には同一番号を附して説明を省略する。
【００２７】
そして、図９に示すように、前述の実施例および比較例に対し、前記手摺り５０にワイヤ６０，６１を架け渡した。そして、ウインチ６２を介して水平荷重および鉛直荷重として１００Ｎから１００Ｎずつ増大させて１２００Ｎまで負荷した場合の撓みを測定した。なお、６３，６４はデジタルバネ秤である。
【００２８】
試験の結果、実施例では鉛直荷重として１２００Ｎまで負荷した場合、鉛直方向において４ｍｍの撓みを検出し、実用上、問題のないことが判った。
一方、水平荷重として１２００Ｎまで負荷した場合、水平方向において撓み１４ｍｍを検出したが、支柱に大きなガタツキ，グラツキの発生は見受けられず、実用上、問題がないことが判った。
【００２９】
比較例に対し、実施例と同一条件で鉛直荷重を１２００Ｎまでを負荷した場合、鉛直方向において３ｍｍの撓みを検出し、実施例と大きな差異がないことが判った。
一方、実施例と同一条件で水平荷重を１２００Ｎまで負荷した場合、水平方向において撓み１０１ｍｍを検出するとともに、支柱３０にグラツキが生じていることを確認できた。さらに、押圧力が作用した支持パイプに塑性変形が生じていることも確認できた。
【００３０】
以上の試験結果から、水平荷重に対し、実施例は比較例よりも格段に優れた支持強度を有することを確認できた。これは、手摺りに水平荷重を負荷した場合に支柱に曲げモーメントが作用しても、実施例では取付板がネジ頭を全て被覆しているので、押圧力が支持パイプだけでなく、支持ネジにも作用し、押圧力が分散される。特に、支持ネジは床下地に深く螺合し、支持強度が著しく大きい。このため、支柱にガタツキ，グラツキが生じないだけでなく、支持パイプが床下地に食い込むこともなく、塑性変形しないことが判った。
【産業上の利用可能性】
【００３１】
本発明に係る支柱支持構造は畳床に限らず、例えば、絨毯、コルク等を敷設した床、または、床表面に凹みが残存するおそれがある床に適用してもよいことは勿論である。
【符号の説明】
【００３２】
１０  畳床
１１  粗床
１２  床下地
１３  畳
１３ａ  貫通孔
２１  支持パイプ
２１ａ  先端面
２２  止め具（支持ネジ）
２３  支持板
２４  支持用長孔
２４ａ  テーパ面
２６  ネジ孔
３０  支柱
３１  取付板
３２  取付ネジ
３３  長孔
３４  貫通孔
３５  水抜き孔
３６  化粧カバー
３７  固定板
４０  手摺り取付具
４１  取付台
４５  把持部
５０  手摺り
５１  治具パイプ
５１ａ  尖部
【図１】
2016172975.tif 000003
【図２】
2016172975.tif 000004
【図３】
2016172975.tif 000005
【図４】
2016172975.tif 000006
【図５】
2016172975.tif 000007
【図６】
2016172975.tif 000008
【図７】
2016172975.tif 000009
【図８】
2016172975.tif 000010
【図９】
2016172975.tif 000011